(57)【要約】【課題】  コストを低減できる両向光学受発モジュールを提供する。【解決手段】  一種のオプチカルファイバー１、受光エレメント２及び発光エレメント３を含む。受光エレメント２はオプチカルファイバー１に対応して、オプチカルファイバー１の遠端から伝送してきた光エネルギーを接収して電気エネルギーに転換して、並びに一つの出力端子から外に向かって出力する。発光エレメント３は受光エレメント２に連接して、その中心の投影をオプチカルファイバー射入口１１の中心に対正させ、発光エレメント３を触発して、並びに外に向けて発光した時に、発光エレメント３が生じた光束を対正的にオプチカルファイバー射入口１１からオプチカルファイバー１の中に入力して、オプチカルファイバー１に循じて遠端に伝送し、別の一つの接収器によって接収して、外に向けて一つの信号を出力する。【選択図】    図１
2005091729.tif 000002
【特許請求の範囲】
【請求項１】
オプチカルファイバーと、受光エレメント及び発光エレメントを含む両向光学受発モジュールであって、
該受光エレメントは該オプチカルファイバーに対応して、該オプチカルファイバーの遠端から伝送してきた光エネルギーを接収して電気エネルギーに転換して、並びに一つの出力端子から外に向かって出力し、該発光エレメントは該受光エレメントに連接して、その中心の投影を該オプチカルファイバーの射入口の中心に対正させ、該発光エレメントを触発して、並びに外に向けて発光した時に、該発光エレメントが生じた光束を対正的に該オプチカルファイバーの射入口から該オプチカルファイバーの中に入力して、該オプチカルファイバーに循じて遠端に伝送し、別の一つの接収器によって接収して、外に向けて一つの信号を出力し、この中での該オプチカルファイバーと該受光エレメント及び発光エレメントとの間には任意の折射エレメントを取り付けないことを特徴とする両向光学受発モジュール。
【請求項２】
該受光エレメントは、一つのホートダイオード（Photodiode）であることを特徴とする請求項１に記載の両向光学受発モジュール。
【請求項３】
該発光エレメントは、発光ダイオード（ＬＥＤ）であることを特徴とする請求項１に記載の両向光学受発モジュール。
【請求項４】
該オプチカルファイバーは、一つのコネクターで連接し、対応的に一つの殻体の第一端に差し込み、そして、該受光エレメントは安定的に該殻体の第二端に装置していることを特徴とする請求項１に記載の両向光学受発モジュール。
【請求項５】
該発光エレメントの頂端面上は、一つの集光部を連設して、該発光エレメントが生じた光束を該集光部の集中を経て、該オプチカルファイバーの射入口に向かって発射することを特徴とする請求項１に記載の両向光学受発モジュール。
【発明の詳細な説明】
【技術分野】
【０００１】
本発明は、一種の両向光学受発モジュールに関し、特に、一種の中低伝送速率の両向（Duplex）伝送光電モジュールの応用で、該モジュールの発光エレメントは直接該受光エレメント上に嵌置かれて、並びに投影で一つのオプチカルファイバーの射入口に対正するモジュールに関する。
【背景技術】
【０００２】
現在、両向光電伝送受発モジュールに応用されているモジュールは、例えば、「OPTICAL  TRANSMISSION−RECEPTION  APPARATUS」（特許文献１参照）では、その示しているモジュールの中は、主に、一つのオプチカルファイバー１１、一つの発光エレメント３、一つの反射板６及び一つの受光エレメント４を含み、並びに該オプチカルファイバー１１と該受光エレメント４との間には一つのレンズ８を取り付けることができ、その中の該反射板６は発光エレメント３が生じた光束を反射的にオプチカルファイバー１１の入口に射出することができる。尚且つオプチカルファイバー１１を経て射出した光束を折射的に該受光エレメント４に射出することができ、これによって電子信号に転換して外に向けて出力する。上記の構造は、該反射板の反射を経て、出力光束及び入力光束を個別に折射で違った位置に向けて、両向伝送の目的を達成させることができるが、しかし、下記の欠点がある。
【０００３】
１、光束の折射に使用する反射板６は、非常に精密であるために、その単価は非常に高くて、成品のコストは大幅に高乗し、市場では受け入れづらい。
２、必ず光束を一定の正確な位置に折射するので、取り付け上での各部品の関連位置も必ず精確さが必要なために、成品の良品率は有効に上げることができない。
【０００４】
【特許文献１】米国特許第６，１８８，４９５号
【発明の開示】
【発明が解決しようとする課題】
【０００５】
上記のように、従来の両向光電伝送受発モジュールは、単価が高くて、精密な反射板を使用しているので、商品のコストが高く、光束の折射は必ず一定の正確な位置に射出する必要があるので、各部品の取り付け時の関連位置も必ず極めて精確さを必要とするので、製造上の成品の良品率を上げる困難度がある。
【０００６】
そこで、本発明は上記のような問題を解決するためになされたものであって、一つの受光エレメントで該オプチカルファイバーに対応して、該オプチカルファイバーの遠端から伝送してきた光エネルギーを接収して、電気エネルギーに転換して外に出力する。及び、一つの発光エレメントは該受光エレメント上に連接し、かつ投影で該オプチカルファイバーの射入口に対正し、発光エレメントが生じた光束を射入口から該オプチカルファバーの中に入力し、オプチカルファイバーに循じて遠端に伝送して、接収器で接収して外に向けて一つの信号を出力し、一つの両向伝送機能を達成する。
【課題を解決するための手段】
【０００７】
上記の目的を達成するために、本発明による両向光学受発モジュールは、一本のオプチカルファイバーと、一つの受光エレメントと、一つの発光エレメントとを含むモジュールで、該受光エレメントは該オプチカルファイバーに対応して、該オプチカルファイバーの遠端から伝送してきた光エネルギーを接収して電気エネルギーに転換して、一つの出力端子から外に向けて出力する。及び、該発光エレメントは該受光エレメントに連接し、かつ投影で該オプチカルファイバー射入口に対正する。該発光エレメントを触発して外に向けて発光した時には、該発光エレメントが生じた光束を対正的に該オプチカルファイバーの射入口から該オプチカルファイバーの中に入力し、並びに該オプチカルファイバーに循じて遠端に伝送し、別の一つの接収器から接収して、外に向って一つの信号を出力して一つの両向伝送機能を達成させる。
【発明を実施するための最良の形態】
【０００８】
図１〜図４をご参照下さい。本発明の一実施例による両向光学受発モジュールは、一つのオプチカルファイバー１、一つの受光エレメント２及び一つの発光エレメント３を含む。該受光エレメント２は、該オプチカルファイバー１に対応して、該オプチカルファイバー１の遠端から伝送してきた光エネルギーを接収して電気エネルギーに転換して、並びに一つの出力端子２１から外に向って出力する。そして、該発光エレメント３は受光エレメント２の上に連接し、かつその中心は投影で該オプチカルファイバー１の射入口１１の中心に対正している。該発光エレメント３を触発して、かつ外に向って光束３０を射出した時に、該発光エレメント３が生じた光束３０を対正的に該オプチカルファイバー１の射入口１１から該オプチカルファイバー１の中に入力し、並びに該オプチカルファイバー１に循じて遠端に伝送し、別の一つの接収器によって接収し、外に向って一つの信号を出力して一つの両向伝送の機能を達成させる。
【０００９】
本実施例の両向光学受信発モジュールの中の該受光エレメント２は一つのホートダイオード（Photodiode）であって、該ホートダイオードが光の照射を受けた後では、共価圏内の電子に光エネルギーを吸収させて脱離させ、自由電子と電洞負荷とを生じさせて、該ホートダイオードが生じた逆向電流を吸収した光エネルギーの増加に伴って増大して、違った出力信号を生じさせる。
本実施例の装置での受光エレメント２の上での発光エレメント３は、発光ダイオード（ＬＥＤ）から取ることができる。でも、本発明はこれに対して自限をしない。
【００１０】
本実施例を実施する時では、該オプチカルファイバー１を一つのコネクター１２で連接して、対応的に一つの殻体４の第一端に挿し込み、そして、該受光エレメント２を安定的に該殻体４の第二端に嵌置く或いは貼り止めて、かつ受光エレメント２の上に嵌置した或いは貼り置いた発光エレメント３は投影的に軸向きに該オプチカルファイバー１の射入口１１の中心に対正して、該オプチカルファイバー１の入力光束１０を直接に該受光エレメント２に向けて射出することができる。並びに、該受光エレメント２は一つの電子出力信号に転換して外に向かって出力する。そして、該発光エレメント３が触発した後に生じた光束３０も直接に該オプチカルファイバー１の射入口１１に向かって発射することができる。並びに、該オプチカルファイバー１に循じて遠端に伝送することができる。これによって、本実施例は該オプチカルファイバー１と該受光エレメント２及び該発光エレメント３との間に、任意なる反射板、レンズ或いは折射式エレメント（ＲＯＥ、Reflective  Optical Element）を装置する必要がなく、両向伝送の目的を達成することができる。
【００１１】
本実施例の両向光学受発モジュールは、上記に述べたように該オプチカルファイバー１と該受光エレメント２及び該発光エレメント３との間は、任意なる折射光源のエレメントを装置する必要がないので、本実施例は構造が更に簡単で、容易に組立ができる外に、また大幅に製造コストを下げることができる（習知の約１／３０）。この外に、また一般の使用者の伝送品質に対する需求に合致しているので、本実施例は容易に市場に愛用されるので、極めて産業利用及び開発する価値がある。
【００１２】
本実施例の両向光学受発モジュールは、その中の該発光エレメント３のその頂端面上には一つの集光部３１が連設されていて、該発光エレメント３が生じた光束３０を該集光部３１の集中を経た後に、該オプチカルファイバー１の射入口１１に向かって照射し、並びにこれによって該発光エレメント３のオプチカルファイバー１の入力光束１０によって生じた耗弱を下げて、本実施例の伝送速率を増進する。
【００１３】
本実施例の両向光学受発モジュールは、デジタルカメラ、撮影機及びネットワーク等の音画或いは信号の伝送に応用することができる。その応用範囲に対しては本発明は自限をしない。
【００１４】
本発明の両向光学受発モジュールは、若しも本発明の構想及び形状を一部変更した後に生じた効果及び作用が本明細書と図面が含む範囲である場合は、すべて本発明の範囲と見なすべきであることを特に強調する。
【図面の簡単な説明】
【００１５】
【図１】本発明の一実施例による両向光学受発モジュールを示す示意図である。
【図２】本発明の一実施例による両向光学受発モジュールの接収状態を示す示意図である。
【図３】本発明の一実施例による両向光学受発モジュールの出力状態を示す示意図である。
【図４】本発明の一実施例による両向光学受発モジュールの両向受発を示す示意図である。
【符号の説明】
【００１６】
１  オプチカルファイバー、２  受光エレメント、３  発光エレメント、４  殻体、１０  光束、１１  射入口、１２  コネクター、２１  出力端子、３０  光束、３１  集光部
【図１】
2005091729.tif 000003
【図２】
2005091729.tif 000004
【図３】
2005091729.tif 000005
【図４】
2005091729.tif 000006